【手続補正書】
【提出日】平成22年9月8日(2010.9.8)
【手続補正１】
【補正対象書類名】特許請求の範囲
【補正対象項目名】全文
【補正方法】変更
【補正の内容】
【特許請求の範囲】
【請求項１】
生体再吸収性微粒子を具える生体再吸収性ドレッシングを調製する方法であって、当該方法が、
Ｉ）ポロジェンシステムを具える実質的にシリンダ形状のケーシングを形成するステップであって、
ａ）１又はそれ以上の生体再吸収性ポリマ及びポロジェンシステムを溶媒中に溶解し、混合物を形成するステップ；
ｂ）シリンダ形状の型を前記混合物でコーティングするステップ；及び
ｃ）前記溶媒を除去するステップ；
によって形成するステップと；
ＩＩ）前記ケーシング内に少なくとも１の生体再吸収性ポリマを具える微粒子を配置するステップと；
ＩＩＩ）繰り返し間隔をおいて、前記ケーシングに狭窄部を形成するステップと；
を具えることを特徴とする方法。
【請求項２】
請求項１に記載の方法において、前記混合物がさらに可塑剤を含むことを特徴とする方法。
【請求項３】
請求項１に記載の方法がさらに、水中油型エマルション方法を用いて前記微粒子を製造するステップを具えることを特徴とする方法。
【請求項４】
請求項１に記載の方法において、前記微粒子の大きさが約４００乃至約６００ミクロンの間であることを特徴とする方法。
【請求項５】
請求項１に記載の方法において、前記ポロジェンシステムが炭酸ナトリウム及び酸であることを特徴とする方法。
【請求項６】
請求項１に記載の方法において、前記ポロジェンシステムが塩類であることを特徴とする方法。
【請求項７】
請求項１に記載の方法において、前記１又はそれ以上の生体再吸収性ポリマが、ＰＬＡ：ＰＣＬの共重合体であることを特徴とする方法。
【請求項８】
請求項７に記載の方法において、前記ＰＬＡ：ＰＣＬの割合が約９０：１０であることを特徴とする方法。
【請求項９】
請求項７に記載の方法において、前記ＰＬＡ：ＰＣＬの割合が約８０：２０であることを特徴とする方法。
【請求項１０】
請求項１に記載の方法がさらに、前記ケーシング内に孔を形成するために前記ポロジェンシステムと流体を反応させるステップを具えることを特徴とする方法。
【請求項１１】
請求項１０に記載の方法において、前記ケーシング内に前記孔を形成することにより、７０％より大きい前記ケーシングの間隙率となることを特徴とする方法。
【請求項１２】
請求項１０に記載の方法において、前記孔の直径が、約１００乃至約５００ミクロンの間であることを特徴とする方法。
【請求項１３】
生体再吸収性ミクロスフェアを具える生体再吸収性ドレッシングを調製する方法であって、当該方法が：
Ｉ）ポロジェンシステムを具えるケーシングを：
ａ）１又はそれ以上の生体再吸収性ポリマ及びポロジェンシステムを溶媒中に溶解し、混合物を形成するステップ；
ｂ）二次元のシートを形成するために前記混合物を非溶媒中へ押し出すステップ；
ｃ）前記溶媒を除去するステップ；及び
ｄ）前記シートをシリンダ形状に巻いて、遠位側の接触端部を接着するステップ；
によって作るステップと：
ＩＩ）少なくとも１の生体再吸収性ポリマを含むミクロスフェアを作るステップと；
ＩＩＩ）ステップ（ＩＩ）で作られた前記ミクロスフェアをステップ（Ｉ）で作られた前記ケーシング内に配置するステップと；及び
ＩＶ）一定の繰り返し間隔をおいて、前記ケーシングを狭窄するステップと；
を具えることを特徴とする方法。
【請求項１４】
請求項１３に記載の方法において、前記混合物がさらに可塑剤を含むことを特徴とする方法。
【請求項１５】
請求項１３に記載の方法において、前記ミクロスフェアの直径が約４００乃至約６００ミクロンの間であることを特徴とする方法。
【請求項１６】
請求項１３に記載の方法において、前記ポロジェンシステムが炭酸ナトリウム及び酸であることを特徴とする方法。
【請求項１７】
請求項１３に記載の方法において、前記ポロジェンシステムが塩類であることを特徴とする方法。
【請求項１８】
請求項１３に記載の方法において、前記１又はそれ以上の生体再吸収性ポリマが、ＰＬＡ：ＰＣＬの割合が約９０：１０乃至約７０：３０の範囲であるＰＬＡ：ＰＣＬの共重合体であることを特徴とする方法。
【請求項１９】
創傷部位に減圧創傷治療を適用するシステムであって、当該システムが：
多孔質ケーシング及び生体再吸収性微粒子を具える生体再吸収性ドレッシングであって、当該生体再吸収ドレッシングが前記創傷部位に位置するように構成されているドレッシングと；
前記生体再吸収ドレッシング近傍に配置するように構成されている分配マニホルドと；
創傷部位と、生体再吸収ドレッシングと、分配マニホルドの上に位置するように構成したドレープと；
減圧源と；
前記減圧源と前記分配マニホルド管を流体連通させる減圧供給管と；
を具えることを特徴とするシステム。
【請求項２０】
請求項１９に記載のシステムにおいて、前記多孔質ケーシングが、１又はそれ以上の生体再吸収性ポリマを具えることを特徴とするシステム。
【請求項２１】
請求項１９に記載のシステムにおいて、前記１又はそれ以上の生体再吸収性ポリマが、ＰＬＡ：ＰＣＬの共重合体であることを特徴とするシステム。
【請求項２２】
請求項１９に記載のシステムにおいて、前記１又はそれ以上の生体再吸収性ポリマが、前記ＰＬＡ：ＰＣＬ比が約９０：１０乃至約７０：３０の範囲のＰＬＡ：ＰＣＬの共重合体であることを特徴とするシステム。
【請求項２３】
請求項２２に記載のシステムにおいて、前記ＰＬＡ：ＰＣＬの割合が約９０：１０であることを特徴とするシステム。
【請求項２４】
請求項２２に記載のシステムにおいて、前記ＰＬＡ：ＰＣＬの割合が約８０：２０であることを特徴とするシステム。
【請求項２５】
請求項１９に記載のシステムにおいて、前記多孔質ケーシングが１またはそれ以上の生体再吸収性ポリマと、可塑剤を具えることを特徴とするシステム。
【請求項２６】
請求項１９に記載のシステムにおいて、前記生体再吸収性ドレッシングが前記創傷部位に接して配置されていることを特徴とするシステム。
【請求項２７】
請求項１９に記載のシステムにおいて、前記減圧源が、前記分配マニホールドと前記生体再吸収性ドレッシングを介して前記創傷部位に減圧を与えることを特徴とするシステム。
【請求項２８】
請求項１９に記載のシステムにおいて、前記ミクロスフェアのサイズが約４００乃至約６００ミクロンの間であることを特徴とするシステム。
【請求項２９】
請求項１９に記載のシステムにおいて、前記多孔質ケーシングが間隔をおいて繰り返し狭窄部を具えることを特徴とするシステム。
【請求項３０】
請求項１９に記載のシステムにおいて、前記多孔質ケーシングの孔の直径が、約１００乃至約５００ミクロンの間であることを特徴とするシステム。
【手続補正２】
【補正対象書類名】図面
【補正対象項目名】全図
【補正方法】変更
【補正の内容】
【図１】
2010508977.tif 000001
【図２】
2010508977.tif 000002
【図３】
2010508977.tif 000003
【図４】
2010508977.tif 000004
【図５】
2010508977.tif 000005
【図６】
2010508977.tif 000006
【図７】
2010508977.tif 000007
【図８】
2010508977.tif 000008
【図９】
2010508977.tif 000009
【図１０】
2010508977.tif 000010
【図１１】
2010508977.tif 000011